(57)【特許請求の範囲】
【請求項１】
少なくとも１つの直歯と各々左右方向へ屈曲した複数個のアサリ歯を１グループとして有し、この複数個のアサリ歯のアサリ幅が複数設けられている鋸刃であって、前記直歯の歯先逃げ角が、最もアサリ幅の小さなアサリ歯の歯先逃げ角と等しいかまたは大きく、且つアサリ幅の大きなアサリ歯ほど歯先逃げ角が小さいことを特徴とする鋸刃。
【請求項２】
少なくとも１つの直歯と各々左右方向へ屈曲した複数個のアサリ歯を１グループとして有し、この複数個のアサリ歯のアサリ幅が複数設けられている鋸刃であって、前記直歯の歯先スクイ角が、最もアサリ幅の小さなアサリ歯の歯先スクイ角と等しいかまたは大きく、且つアサリ幅の大きなアサリ歯ほど歯先スクイ角が小さいことを特徴とする鋸刃。
【請求項３】
少なくとも１つの直歯と各々左右方向へ屈曲した複数個のアサリ歯を１グループとして有し、この複数個のアサリ歯のアサリ幅が複数設けられている鋸刃であって、前記直歯の歯角が、アサリ幅の最も小さなアサリ歯の歯角と等しいかまたは小さく、且つアサリ幅の大きなアサリ歯ほど歯角が大きいことを特徴とする鋸刃。
【請求項４】
ワークピースの切削に際して先行して切削を行う複数の先行歯と、この先行歯が切削した切削部を拡開するための複数の後続歯とを１グループとして有し、前記先行歯は少なくとも１個の直歯と各々左右方向へ屈曲した少なくとも一対のアサリ歯を有し、前記後続歯は各々左右方向へ屈曲した少なくとも一対のアサリ歯を有し、前記先行歯の歯高寸法が前記後続歯の歯高寸法よりも大きく且つ前記後続歯のアサリ幅が前記先行歯のアサリ幅よりも大きい鋸刃であって、前記直歯の歯先逃げ角をαA 、前記先行歯に含まれるアサリ歯の歯先逃げ角をαB 、前記後続歯に含まれるアサリ歯の歯先逃げ角αC としたときに、αA ≧αB ＞αC であることを特徴とする鋸刃。
【請求項５】
ワークピースの切削に際して先行して切削を行う複数の先行歯と、この先行歯が切削した切削部を拡開するための複数の後続歯とを１グループとして有し、前記先行歯は少なくとも１個の直歯と各々左右方向へ屈曲した少なくとも一対のアサリ歯を有し、前記後続歯は各々左右方向へ屈曲した少なくとも一対のアサリ歯を有し、前記先行歯の歯高寸法が前記後続歯の歯高寸法よりも大きく且つ前記後続歯のアサリ幅が前記先行歯のアサリ幅よりも大きい鋸刃であって、前記直歯の歯先スクイ角をθA 、前記先行歯に含まれるアサリ歯の歯先スクイ角をθB 、前記後続歯に含まれるアサリ歯の歯先スクイ角をθC としたときに、θA ≧θB ＞θC であることを特徴とする鋸刃。
【請求項６】
ワークピースの切削に際して先行して切削を行う複数の先行歯と、この先行歯が切削した切削部を拡開するための複数の後続歯とを１グループとして有し、前記先行歯は少なくとも１個の直歯と各々左右方向へ屈曲した少なくとも一対のアサリ歯を有し、前記後続歯は各々左右方向へ屈曲した少なくとも一対のアサリ歯を有し、前記先行歯の歯高寸法が前記後続歯の歯高寸法よりも大きく且つ前記後続歯のアサリ幅が前記先行歯のアサリ幅よりも大きい鋸刃であって、前記直歯の歯角をβA 、前記先行歯に含まれるアサリ歯の歯角をβB 、前記後続歯に含まれるアサリ歯の歯角をβC としたときに、βC ＞βB ≧βA であることを特徴とする鋸刃。
【請求項７】
少なくとも１つの直歯と各々左右方向へ屈曲した複数個のアサリ歯を１グループとして有し、この複数個のアサリ歯のアサリ幅が複数設けられている鋸刃であって、直歯の歯先逃げ角をαA 、最もアサリ幅の小さいアサリ歯の歯先逃げ角をαB 、その他のアサリ歯の歯先逃げ角をαC 、αD 、αE ……としたときに、αA ≧αB ＞（αC ≧αD ≧αE ≧……）であることを特徴とする鋸刃。
【請求項８】
少なくとも１つの直歯と各々左右方向へ屈曲した複数個のアサリ歯を１グループとして有し、この複数個のアサリ歯のアサリ幅が複数設けられている鋸刃であって、直歯の歯先スクイ角をθＡ、最もアサリ幅の小さいアサリ歯の歯先スクイ角をθB 、その他のアサリ歯の歯先スクイ角をθC 、θD 、θE ……としたときに、θA ≧θB ＞（θC ≧θD ≧θE ≧……）であることを特徴とする鋸刃。
【請求項９】
少なくとも１つの直歯と各々左右方向へ屈曲した複数個のアサリ歯を１グループとして有し、この複数個のアサリ歯のアサリ幅が複数設けられている鋸刃であって、直歯の歯角をβA 、最もアサリ幅の小さいアサリ歯の歯角をβB 、その他のアサリ歯の歯角をβC 、βD 、βE ……としたときに、（βC ≧βD ≧βE ≧……）＞βB ≧βA であることを特徴とする鋸刃。
【請求項１０】
少なくとも１つの直歯と各々左右方向へ屈曲した複数個のアサリ歯を１グループとして有し、この複数個のアサリ歯のアサリ幅が複数設けられている鋸刃であって、前記直歯およびアサリ歯のスクイ面および逃げ面の直線部分において前記直歯またはアサリ歯の歯先から所定の高さに設定した基準線位置における直歯の歯幅をＸA 、最もアサリ幅の小さいアサリ歯の歯幅をＸB 、その他のアサリ歯の歯幅をＸC 、ＸD 、ＸE ……としたときに、ＸA ≦ＸB ＜  （ＸC ≦ＸD ≦ＸE ……）であることを特徴とする鋸刃。
【請求項１１】
少なくとも１つの直歯と各々左右方向へ屈曲した複数個のアサリ歯を１グループとして有し、この複数個のアサリ歯のアサリ幅が複数設けられている鋸刃であって、前記直歯およびアサリ歯のスクイ面および逃げ面の直線部分において前記直歯またはアサリ歯の歯先から所定の高さに設定した基準線位置における直歯の歯幅をＸA 、最もアサリ幅の小さいアサリ歯の歯幅をＸB 、その他のアサリ歯の歯幅をＸC 、ＸD 、ＸE ……としたときに、ＸA ＜ＸB ≦  （ＸC ≦ＸD ≦ＸE ……）であることを特徴とする鋸刃。
【発明の詳細な説明】
【０００１】
【発明の属する技術分野】
この発明は鋸刃に係り、さらに詳しくは、帯鋸、丸鋸あるいはハクソー等の鋸刃に関するものであり、例えばＨ形鋼の切断時における狭窄現象が生じるワークピースやパイプ、シートパイル等の切断のように大きな振動を伴うワークピースおよび難削材のように大きな切削抵抗が生じるワークピースの切断を行う鋸刃に関するものである。
【０００２】
【従来の技術】
従来より、例えば金属製の大きなワークピースを切断（切削）する装置として、帯鋸盤が使用されている。この帯鋸盤に使用される帯鋸刃においては、例えばびびり振動や騒音等に対応するために、「アサリ」のパターンをレーカーセット、ウェーブセットあるいはストレートセットなど種々のパターンに設定したり、各歯のピッチを不等ピッチにしたりしている。また、例えばステンレス鋼の如き難削材に対応すべく、各歯の歯高寸法を異にする帯鋸刃も開発されている。
【０００３】
また、特公平７−２４９７３号公報や特公平７−４１４６７号公報に記載されているように、各歯の歯高寸法およびアサリ幅を異にして、適宜組み合わすことにより切屑の細分化を図って性能を大きく向上させた鋸刃も実用化されている。
【０００４】
【発明が解決しようとする課題】
しかしながら、左方向へ屈曲した左アサリ歯と、右方向へ屈曲した右アサリ歯、および左右に屈曲することのない直歯とを有すると共に、左右のアサリ歯のアサリ幅を複数種類に変化させた鋸刃の場合には、ワークピースの切削を行う突入時（ワークピースに鋸刃の歯が当接し切削が開始するとき）にアサリ幅の大きい歯ほどアサリ歯の振出し方向と反対方向へ大きく振られる。ここで、直歯は左右に屈曲することなく形成されているので、ワークピースへの突入時には比較的左右に振られることがない。
【０００５】
この様に、アサリ歯の振出しが大きい歯ほどワークピースへの突入時の衝撃が大きく、チッピングや歯欠けを起こしやすいという問題がある。
【０００６】
また、直歯は切削の直進性向上の役目をするので、左右への振れが小さい分だけ食込み性を改善できる余地が残されている。さらに、各歯の働きには差異が見られるため、各歯の働きに適した歯先の逃げ角、スクイ角、歯角が個々に設定されるべきであるが、現状では、全歯ともほぼ同じ逃げ角、スクイ角、歯角に設定されており、改善の余地がある。
【０００７】
鋸刃における切断作業の高速化が年々進むにつれて、従来の切断速度では発生することのなかったチッピングや歯欠けのトラブルが多くなってきており、特に、Ｈ形鋼、パイプ、難削材等の切断市場においてより高性能な鋸刃が要求されている。
【０００８】
この発明の目的は、以上のような従来の技術に着目してなされたものであり、各歯の働きに適するように設定された歯先の逃げ角、スクイ角、歯角を有するような鋸刃を提供することにあり、また、市場のニーズに答えるべく、より高性能で経済的な鋸刃を提供することにある。
【０００９】
【課題を解決するための手段】
上記の目的を達成するために、請求項１による発明の鋸刃は、少なくとも１つの直歯と各々左右方向へ屈曲した複数個のアサリ歯を１グループとして有し、この複数個のアサリ歯のアサリ幅が複数設けられている鋸刃であって、前記直歯の歯先逃げ角が、最もアサリ幅の小さなアサリ歯の歯先逃げ角と等しいかまたは大きく、且つアサリ幅の大きなアサリ歯ほど歯先逃げ角が小さいことを特徴とするものである。
【００１０】
従って、直歯と複数個のアサリ歯を１グループとして鋸刃を構成し、左右の振れが少ない直歯の歯先逃げ角を大きくして食込み性を改善すると共に、左右の振れが大きくなるアサリ幅の大きなアサリ歯については歯先逃げ角を小さくすることにより歯先強度を高めてチッピングや歯欠けを防止する。
【００１１】
請求項２による発明の鋸刃は、少なくとも１つの直歯と各々左右方向へ屈曲した複数個のアサリ歯を１グループとして有し、この複数個のアサリ歯のアサリ幅が複数設けられている鋸刃であって、前記直歯の歯先スクイ角が、最もアサリ幅の小さなアサリ歯の歯先スクイ角と等しいかまたは大きく、且つアサリ幅の大きなアサリ歯ほど歯先スクイ角が小さいことを特徴とするものである。
【００１２】
従って、直歯と複数個のアサリ歯を１グループとして鋸刃を構成し、左右の振れが少ない直歯の歯先スクイ角を大きくして食込み性を改善すると共に、左右の振れが大きくなるアサリ幅の大きなアサリ歯については歯先スクイ角を小さくすることにより歯先強度を高めてチッピングや歯欠けを防止する。
【００１３】
アサリ幅の大きいアサリ歯ほど歯先スクイ角を小さくしているので、歯角が大きくなり剛性がより大きくなる。よって、切削加工時の鋸刃の厚み方向の分力に対する剛性が大きくなり、切削精度がより向上する。
【００１４】
請求項３による発明の鋸刃は、少なくとも１つの直歯と各々左右方向へ屈曲した複数個のアサリ歯を１グループとして有し、この複数個のアサリ歯のアサリ幅が複数設けられている鋸刃であって、前記直歯の歯角が、アサリ幅の最も小さなアサリ歯の歯角と等しいかまたは小さく、且つアサリ幅の大きなアサリ歯ほど歯角が大きいことを特徴とするものである。
【００１５】
従って、直歯と複数個のアサリ歯を１グループとして鋸刃を構成し、左右の振れが少ない直歯の歯角を小さくして食込み性を改善すると共に、左右の振れが大きくなるアサリ幅の大きなアサリ歯については歯角を大きくすることにより歯先強度を高めてチッピングや歯欠けを防止する。
【００１６】
アサリ幅の大きいアサリ歯ほど歯角を大きくしているので、剛性がより大きくなる。よって、切削加工時の鋸刃の厚み方向の分力に対する剛性が大きくなり、切削精度がより向上する。
【００１７】
請求項４による発明の鋸刃は、ワークピースの切削に際して先行して切削を行う複数の先行歯と、この先行歯が切削した切削部を拡開するための複数の後続歯とを１グループとして有し、前記先行歯は少なくとも１個の直歯と各々左右方向へ屈曲した少なくとも一対のアサリ歯を有し、前記後続歯は各々左右方向へ屈曲した少なくとも一対のアサリ歯を有し、前記先行歯の歯高寸法が前記後続歯の歯高寸法よりも大きく且つ前記後続歯のアサリ幅が前記先行歯のアサリ幅よりも大きい鋸刃であって、前記直歯の歯先逃げ角をαA 、前記先行歯に含まれるアサリ歯の歯先逃げ角をαB 、前記後続歯に含まれるアサリ歯の歯先逃げ角αC としたときに、αA ≧αB ＞αC であることを特徴とするものである。
【００１８】
従って、直歯と複数のアサリ歯を１グループとして鋸刃を構成し、左右の振れが少ない直歯の歯先逃げ角を大きくして食込み性を改善すると共に、左右の振れが大きくなるアサリ幅の大きなアサリ歯については歯先逃げ角を小さくすることにより歯先強度を高めてチッピングや歯欠けを防止する。また、先行歯が切削した切削部を、この先行歯の歯高よりも低い歯高を有する後続歯がさらに拡開する。
【００１９】
請求項５による発明の鋸刃は、ワークピースの切削に際して先行して切削を行う複数の先行歯と、この先行歯が切削した切削部を拡開するための複数の後続歯とを１グループとして有し、前記先行歯は少なくとも１個の直歯と各々左右方向へ屈曲した少なくとも一対のアサリ歯を有し、前記後続歯は各々左右方向へ屈曲した少なくとも一対のアサリ歯を有し、前記先行歯の歯高寸法が前記後続歯の歯高寸法よりも大きく且つ前記後続歯のアサリ幅が前記先行歯のアサリ幅よりも大きい鋸刃であって、前記直歯の歯先スクイ角をθA 、前記先行歯に含まれるアサリ歯の歯先スクイ角をθB 、前記後続歯に含まれるアサリ歯の歯先スクイ角をθC としたときに、θA ≧θB ＞θC であることを特徴とするものである。
【００２０】
従って、直歯と複数のアサリ歯を１グループとして鋸刃を構成し、左右の振れが少ない直歯の歯先スクイ角を大きくして食込み性を改善すると共に、左右の振れが大きくなるアサリ幅の大きなアサリ歯については歯先スクイ角を小さくすることにより歯先強度を高めてチッピングや歯欠けを防止する。また、先行歯が切削した切削部を、この先行歯の歯高よりも低い歯高を有する後続歯がさらに拡開する。
【００２１】
請求項６による発明の鋸刃は、ワークピースの切削に際して先行して切削を行う複数の先行歯と、この先行歯が切削した切削部を拡開するための複数の後続歯とを１グループとして有し、前記先行歯は少なくとも１個の直歯と各々左右方向へ屈曲した少なくとも一対のアサリ歯を有し、前記後続歯は各々左右方向へ屈曲した少なくとも一対のアサリ歯を有し、前記先行歯の歯高寸法が前記後続歯の歯高寸法よりも大きく且つ前記後続歯のアサリ幅が前記先行歯のアサリ幅よりも大きい鋸刃であって、前記直歯の歯角をβA 、前記先行歯に含まれるアサリ歯の歯角をβB 、前記後続歯に含まれるアサリ歯の歯角をβC としたときに、βC ＞βB ≧βA であることを特徴とするものである。
【００２２】
従って、直歯と複数のアサリ歯を１グループとして鋸刃を構成し、左右の振れが少ない直歯の歯角を小さくして食込み性を改善すると共に、左右の振れが大きくなるアサリ幅の大きなアサリ歯については歯角を大きくすることにより歯先強度を高めてチッピングや歯欠けを防止する。また、先行歯が切削した切削部を、この先行歯の歯高よりも低い歯高を有する後続歯がさらに拡開する。
【００２３】
請求項７による発明の鋸刃は、少なくとも１つの直歯と各々左右方向へ屈曲した複数個のアサリ歯を１グループとして有し、この複数個のアサリ歯のアサリ幅が複数設けられている鋸刃であって、直歯の歯先逃げ角をαA 、最もアサリ幅の小さいアサリ歯の歯先逃げ角をαB 、その他のアサリ歯の歯先逃げ角をαC 、αD 、αE ……としたときに、αA ≧αB ＞（αC ≧αD ≧αE ≧……）であることを特徴とするものである。
【００２４】
従って、左右の振れが少ない直歯の歯先逃げ角を最もアサリ幅の小さなアサリ歯の歯先逃げ角よりも大きくして食込み性を改善した。また、アサリ幅が大きくなるにつれて左右の振れが大きくなるので、アサリ幅が大きくなるほど歯先逃げ角を小さくすることにより歯先強度を高めてチッピングや歯欠けを防止する。
【００２５】
請求項８による発明の鋸刃は、少なくとも１つの直歯と各々左右方向へ屈曲した複数個のアサリ歯を１グループとして有し、この複数個のアサリ歯のアサリ幅が複数設けられている鋸刃であって、直歯の歯先スクイ角をθA 、最もアサリ幅の小さいアサリ歯の歯先スクイ角をθB 、その他のアサリ歯の歯先スクイ角をθC 、θD 、θE ……としたときに、θA ≧θB ＞（θC ≧θD ≧θE ≧……）であることを特徴とするものである。
【００２６】
従って、左右の振れが少ない直歯の歯先スクイ角を最もアサリ幅の小さなアサリ歯のスクイ角より大きくして食込み性を改善した。また、アサリ幅が大きくなるにつれて左右の振れが大きくなるので、アサリ幅が大きくなるほど歯先スクイ角を小さくすることにより歯先強度を高めてチッピングや歯欠けを防止する。
【００２７】
請求項９による発明の鋸刃は、少なくとも１つの直歯と各々左右方向へ屈曲した複数個のアサリ歯を１グループとして有し、この複数個のアサリ歯のアサリ幅が複数設けられている鋸刃であって、直歯の歯角をβA 、最もアサリ幅の小さいアサリ歯の歯角をβB 、その他のアサリ歯の歯角をβC 、βD 、βE ……としたときに、（βC ≧βD ≧βE ≧……）＞βB ≧βA であることを特徴とするものである。
【００２８】
従って、左右の振れが少ない直歯の歯角を最もアサリ幅の小さいアサリ歯の歯角よりも小さくして食込み性を改善した。また、アサリ幅が大きくなるにつれて左右の振れが大きくなるので、アサリ幅が大きくなるほど歯角を大きくすることにより歯先強度を高めてチッピングや歯欠けを防止する。
【００２９】
請求項１０による発明の鋸刃は、少なくとも１つの直歯と各々左右方向へ屈曲した複数個のアサリ歯を１グループとして有し、この複数個のアサリ歯のアサリ幅が複数設けられている鋸刃であって、前記直歯およびアサリ歯のスクイ面および逃げ面の直線部分において前記直歯またはアサリ歯の歯先から所定の高さに設定した基準線位置における直歯の歯幅をＸA 、最もアサリ幅の小さいアサリ歯の歯幅をＸB 、その他のアサリ歯の歯幅をＸC 、ＸD 、ＸE ……としたときに、ＸA ≦ＸB ＜（ＸC ≦ＸD ≦ＸE ……）であることを特徴とするものである。
【００３０】
従って、左右の振れが少ない直歯の歯幅よりも左右の振れが大きくなるアサリ幅の大きなアサリ歯について歯幅を大きくすることにより歯先強度を高めてチッピングや歯欠けを防止する。
【００３１】
請求項１１による発明の鋸刃は、少なくとも１つの直歯と各々左右方向へ屈曲した複数個のアサリ歯を１グループとして有し、この複数個のアサリ歯のアサリ幅が複数設けられている鋸刃であって、前記直歯およびアサリ歯のスクイ面および逃げ面の直線部分において前記直歯またはアサリ歯の歯先から所定の高さに設定した基準線位置における直歯の歯幅をＸA 、最もアサリ幅の小さいアサリ歯の歯幅をＸB 、その他のアサリ歯の歯幅をＸC 、ＸD 、ＸE ……としたときに、ＸA ＜ＸB ≦（ＸC ≦ＸD ≦ＸE ……）であることを特徴とするものであり、最もアサリ幅の小さいアサリ歯のアサリ幅が他のアサリ歯のアサリ幅に近い場合に効果を奏するものであり、従って、左右の振れが少ない直歯の歯幅を最も小さくして、食込み性を改善すると共に、左右の振れが大きくなるアサリ歯について歯幅を大きくすることにより、歯先強度を高めてチッピングや歯欠けを防止する。
【００３２】
【発明の実施の形態】
以下、この発明の実施の形態の例を図面に基づいて説明する。
【００３３】
図２には、鋸刃１の逃げ角α、スクイ角θ、歯角βの設定方法が示されている。すなわち、この逃げ角α、スクイ角θ、歯角βの設定では、通常合計が９０度となるようにして分け合っており、歯角βは逃げ角αとスクイ角θの変化によって自動的に変化させている。
【００３４】
図３には、逃げ角α、スクイ角θ、歯角βと歯先強度および食込み性との一般的な関係が示されている。ここで、逃げ角αとスクイ角θは歯先強度および食込み性に対して同じ影響を及ぼすが、歯先強度に及ぼす単位角度当たりの影響度はスクイ角θよりも逃げ角αの方が大きいことがわかっている。
【００３５】
図１（Ａ）、（Ｂ）、（Ｃ）および図４（Ａ）、（Ｂ）、（Ｃ）を参照するに、５個の歯で１グループを形成する鋸刃１が示されている。この鋸刃１は、アサリの振出しを行う前は全歯とも所定の基準線ＫＬに対してほぼ同じ歯高Ｈを有している。
【００３６】
この鋸刃では、１グループに、１個の直歯Ａと、アサリ幅の小さな左右一対のアサリ歯Ｂと、アサリ幅の大きな左右一対のアサリ歯Ｃを有し、θA ＝θB ＝θC の場合を例示している。直歯Ａは左右の振れが小さいので直進性向上のために図４（Ａ）に示されているように、逃げ角αA を大きくして食込み性を改善している。
【００３７】
アサリ歯Ｃはアサリ幅が最も大きいので左右の振れが大きく、チッピングや歯欠けを生じやすいので歯先強度を高めるために図４（Ｃ）に示されているように、逃げ角αC を小さくしてある。また、アサリ歯Ｂはアサリ幅が比較的小さいので図４（Ｂ）に示されているように、逃げ角αB を逃げ角αA と逃げ角αC の中間にしてあるが、この逃げ角αB を逃げ角αA と同じ大きさにしてもよい（αA ≧αB ＞αC ）。
【００３８】
アサリ幅の大きいアサリ歯ほど歯先逃げ角を小さくしているので、歯角が大きくなり剛性が大きくなる。よって、切削加工時の鋸刃の厚み方向の分力に対する剛性が大きくなり、切削精度がより向上する。
【００３９】
具体的には、スクイ角θA 、θB 、θC を一定としたときに、逃げ角αA を３０度〜４０度とし、特に３３度〜３７度が好ましい。逃げ角αB は２７度〜４０度で、特に３０度〜３５度が好ましいが、逃げ角αA と同じとしてもよい。また、逃げ角αC は２０度〜３５度で、特に２３度〜３２度が好ましい。
【００４０】
なお、前述のようにアサリ幅として２種類の幅を設定したが、１グループを５個以上の歯で構成して３種類以上の幅を設定しても良い。このとき、αA ≧αB の関係を満たしていればその他のアサリ歯Ｃ、Ｄ、Ｅ……（Ｄ，Ｅ……は図示省略）において、アサリ幅の大きな歯程歯先逃げ角αを小さくするように設けても良い。すなわち、その他のアサリ歯Ｃ、Ｄ、Ｅ……の逃げ角をαC 、αD 、αE ……としたときに、αA ≧αB ＞（αC ≧αD ≧αE ……）の関係にあるようにしてもよい。
【００４１】
また、各歯の配置の順番は任意に実施可能であるが、同一グループ中に同じアサリ幅の歯が左右一対になっていなければならない。
【００４２】
次に、図１（Ａ）、（Ｂ）、（Ｃ）および図５（Ａ）、（Ｂ）、（Ｃ）を参照するに、５個の歯で１グループを形成する鋸刃３が示されている。この鋸刃３は、アサリの振出しを行う前は全歯とも基準線ＫＬに対してほぼ同じ歯高Ｈを有していることは、前述の鋸刃１と同様である。
【００４３】
この鋸刃では、１グループに、１個の直歯Ａと、アサリ幅の小さな左右一対のアサリ歯Ｂと、アサリ幅の大きな左右一対のアサリ歯Ｃを有し、αA ＝αB ＝αC の場合を例示している。直歯Ａは左右の振れが小さいので直進性向上のために図５（Ａ）に示されているように、スクイ角θA を大きくして食込み性を改善している。
【００４４】
アサリ歯Ｃはアサリ幅が最も大きいので左右の振れが大きく、チッピングや歯欠けを生じやすいので歯先強度を高めるために図５（Ｃ）に示されているように、スクイ角θC を小さくしてある。また、アサリ歯Ｂはアサリ幅が比較的小さいので図５（Ｂ）に示されているように、スクイ角θB をスクイ角θA とスクイ角θC の中間にしてあるが、このスクイ角θB をスクイ角θA と同じ大きさにしてもよい（θA ≧θB ＞θC ）。
【００４５】
アサリ幅の大きいアサリ歯ほど歯先スクイ角を小さくしているので、歯角が大きくなり剛性がより大きくなる。よって、切削加工時の鋸刃の厚み方向の分力に対する剛性が大きくなり、切削精度がより向上する。
【００４６】
具体的には、逃げ角αA 、αB 、αC を一定とした時に、スクイ角θA を４度〜１５度とし、特に５度〜１１度が好ましい。スクイ角θB は３度〜１３度で、特に４度〜１０度が好ましい。また、スクイ角θC は０度〜１１度で、特に０度〜７度が好ましい。
【００４７】
なお、このようにアサリ幅として２種類の幅を設定したが、１グループを５個以上の歯で構成して３種類以上の幅を設定しても良い。このとき、θA ≧θB の関係を満たしていればその他のアサリ歯Ｃ、Ｄ、Ｅ……（Ｄ，Ｅ……は図示省略）において、アサリ幅の大きな歯程歯先スクイ角θを小さくするように設けても良い。すなわち、その他のアサリ歯Ｃ、Ｄ、Ｅ……のスクイ角をθC 、θD 、θE ……としたときに、θA ≧θB ＞（θC ≧θD ≧θE ……）の関係にあるようにしてもよい。
【００４８】
また、各歯の配置の順番は任意に実施可能であるが、同一グループ中に同じアサリ幅の歯が左右一対になっていなければならない。
【００４９】
次に、図１（Ａ）、（Ｂ）、（Ｃ）および図６（Ａ）、（Ｂ）、（Ｃ）を参照するに、５個の歯で１グループを形成する鋸刃５が示されている。この鋸刃５は、アサリの振出しを行う前は全歯とも基準線ＫＬに対してほぼ同じ歯高Ｈを有している。
【００５０】
この鋸刃では、１グループに、１個の直歯Ａと、アサリ幅の小さな左右一対のアサリ歯Ｂと、アサリ幅の大きな左右一対のアサリ歯Ｃを有している。直歯Ａは左右の振れが小さいので直進性向上のために図６（Ａ）に示されているように、歯角βA を小さくして食込み性を改善している。
【００５１】
アサリ歯Ｃはアサリ幅が最も大きいので左右の振れが大きく、チッピングや歯欠けを生じやすいので歯先強度を高めるために図６（Ｃ）に示されているように、歯角βC を大きくしてある。また、アサリ歯Ｂはアサリ幅が比較的小さいので図６（Ｂ）に示されているように、歯角βB を歯角βA と歯角βC の中間にしてあるが、この歯角βB を歯角βA と同じ大きさにしてもよい（βC ＞βB ≧βA ）。
【００５２】
アサリ幅の大きいアサリ歯ほど歯角を大きくしているので、剛性がより大きくなる。よって、切削加工時の鋸刃の厚み方向の分力に対する剛性が大きくなり、切削精度がより向上する。
【００５３】
具体的には、歯角βA を４０度〜５０度とし、特に４４度〜４９度が好ましい。歯角βB は４０度〜５５度で、特に４５度〜５０度が好ましい。また、歯角βC は４５度〜７５度で、特に４８度〜６７度が好ましい。
【００５４】
なお、前述のようにアサリ幅として２種類の幅を設定したが、１グループを５個以上の歯で構成して３種類以上の幅を設定しても良い。このとき、βB ≧βA の関係を満たしていればその他のアサリ歯Ｃ、Ｄ、Ｅ……（Ｄ，Ｅ……は図示省略）において、アサリ幅の大きな歯程歯角βを大きくするように設けても良い。すなわち、その他のアサリ歯Ｃ、Ｄ、Ｅ……の歯角をβC 、βD 、βE ……としたときに、（βC ≧βD ≧βE ……）＞βB ≧βA の関係にあるようにしてもよい。
【００５５】
また、各歯の配置の順番は任意に実施可能であるが、同一グループ中に同じアサリ幅の歯が左右一対になっていなければならない。
【００５６】
なお、上記の例においては、アサリ幅の大きいアサリ歯ほど歯先逃げ角またはスクイ角を小さくすること、換言すれば歯角は大きいことが望ましい。
【００５７】
次に、図７（Ａ）、（Ｂ）、（Ｃ）および図８（Ａ）、（Ｂ）、（Ｃ）を参照するに、５個の歯で１グループを形成する鋸刃７が示されている。この鋸刃７は、これまでに説明した場合と異なってアサリの振出しを行う前の歯高に高低差を付けている。すなわち、図７（Ａ）に示されているように、直歯Ａおよびアサリ歯Ｂについてはアサリの振出しを行う前の歯高ＨA 、ＨB は基準線ＫＬに対してほぼ同一だがアサリ歯Ｃについては歯高ＨC が低く異なっている。
【００５８】
この鋸刃７では、１グループに、１個の直歯Ａと、アサリ幅の小さな左右一対のアサリ歯Ｂと、アサリ幅の大きな左右一対のアサリ歯Ｃを有し、θA ＝θB ＝θC の場合を例示している。直歯Ａは左右の振れが小さいので直進性向上のために図８（Ａ）に示されているように、逃げ角αA を大きくして食込み性を改善している。
【００５９】
アサリ歯Ｃはアサリ幅が最も大きいので左右の振れが大きく、チッピングや歯欠けを生じやすいので歯先強度を高めるために図８（Ｃ）に示されているように、逃げ角αC を小さくしてある。また、アサリ歯Ｂはアサリ幅が比較的小さいので図８（Ｂ）に示されているように、逃げ角αB を逃げ角αA と逃げ角αC の中間にしてあるが、この逃げ角αB を逃げ角αA と同じ大きさにしてもよい（αA ≧αB ＞αC ）。
【００６０】
具体的には、スクイ角θA 、θB 、θC を一定としたときに、逃げ角αA を３０度〜４０度とし、特に３３度〜３７度が好ましい。逃げ角αB は２７度〜４０度で、特に３０度〜３５度が好ましいが、逃げ角αA と同じとしてもよい。また、逃げ角αC は２０度〜３５度で、特に２３度〜３２度が好ましい。
【００６１】
なお、前述のようにアサリ幅として２種類の幅を設定したが、１グループを５個以上の歯で構成して３種類以上の幅を設定しても良い。このとき、αA ≧αB の関係を満たしていればその他のアサリ歯Ｃ、Ｄ、Ｅ……において、アサリ幅の大きな歯程歯先逃げ角αを小さくするように設けても良い。すなわち、その他のアサリ歯Ｃ、Ｄ、Ｅ……の逃げ角をαC 、αD 、αE ……としたときに、αA ≧αB ＞（αC ≧αD ≧αE ……）の関係にあるようにしてもよい。
【００６２】
また、各歯の配置の順番は任意に実施可能であるが、同一グループ中に同じアサリ幅の歯が左右一対になっていなければならない。
【００６３】
また、ここで説明した鋸刃７では２種類の歯高の差異のある場合について説明したが、２種類以上の歯高であっても同様である。
【００６４】
次に、図７（Ａ）、（Ｂ）、（Ｃ）および図９（Ａ）、（Ｂ）、（Ｃ）を参照するに、５個の歯で１グループを形成する鋸刃９が示されている。この鋸刃９は、図７（Ａ）に示されているように、直歯Ａ、アサリ歯Ｂについてはアサリの振出しを行う前の歯高ＨA 、ＨB は基準線ＫＬに対してほぼ同一だがアサリ歯Ｃについては歯高ＨC が低く異なっている。
【００６５】
この鋸刃では、１グループに、１個の直歯Ａと、アサリ幅の小さな左右一対のアサリ歯Ｂと、アサリ幅の大きな左右一対のアサリ歯Ｃを有し、αA ＝αB ＝αC の場合を例示している。直歯Ａは左右の振れが小さいので直進性向上のために図９（Ａ）に示されているように、スクイ角θA を大きくして食込み性を改善している。
【００６６】
アサリ歯Ｃはアサリ幅が最も大きいので左右の振れが大きく、チッピングや歯欠けを生じやすいので歯先強度を高めるために図９（Ｃ）に示されているように、スクイ角θC を小さくしてある。また、アサリ歯Ｂはアサリ幅が比較的小さいので図９（Ｂ）に示されているように、スクイ角θB をスクイ角θA とスクイ角θC の中間にしてあるが、このスクイ角θB をスクイ角θA と同じ大きさにしてもよい（θA ≧θB ＞θC ）。
【００６７】
具体的には、逃げ角αA 、αB 、αC を一定とした時に、スクイ角θA を４度〜１５度とし、特に５度〜１１度が好ましい。スクイ角θB は３度〜１３度で、特に４度〜１０度が好ましい。また、スクイ角θC は０度〜１１度で、特に０度〜７度が好ましい。
【００６８】
なお、このようにアサリ幅として２種類の幅を設定したが、１グループを５個以上の歯で構成して３種類以上の幅を設定しても良い。このとき、θA ≧θB の関係を満たしていればその他のアサリ歯Ｃ、Ｄ、Ｅ……において、アサリ幅の大きな歯程歯先スクイ角θを小さくするように設けても良い。すなわち、その他のアサリ歯Ｃ、Ｄ、Ｅ……のスクイ角をθC 、θD 、θE ……としたときに、θA ≧θB ＞（θC ≧θD ≧θE ……）の関係にあるようにしてもよい。
【００６９】
また、各歯の配置の順番は任意に実施可能であるが、同一グループ中に同じアサリ幅の歯が左右一対になっていなければならない。
【００７０】
また、ここで説明した鋸刃９では２種類の歯高の差異のある場合について説明したが、２種類以上の歯高であっても同様である。
【００７１】
次に、図７（Ａ）、（Ｂ）、（Ｃ）および図１０（Ａ）、（Ｂ）、（Ｃ）を参照するに、５個の歯で１グループを形成する鋸刃１１が示されている。この鋸刃１１は、図７（Ａ）に示されているように、直歯Ａ、アサリ歯Ｂについてはアサリの振出しを行う前の歯高ＨA 、ＨB は基準線ＫＬに対してほぼ同一だがアサリ歯Ｃについては歯高ＨC が低く異なっている。
【００７２】
この鋸刃では、１グループに、１個の直歯Ａと、アサリ幅の小さな２個のアサリ歯Ｂと、アサリ幅の大きな２個のアサリ歯Ｃを有している。直歯Ａは左右の振れが小さいので直進性向上のために図１０（Ａ）に示されているように、歯角βA を小さくして食込み性を改善している。
【００７３】
アサリ歯Ｃはアサリ幅が最も大きいので左右の振れが大きく、チッピングや歯欠けを生じやすいので歯先強度を高めるために図１０（Ｃ）に示されているように、歯角βC を大きくしてある。また、アサリ歯Ｂはアサリ幅が比較的小さいので図１０（Ｂ）に示されているように、歯角βB を歯角βA と歯角βC の中間にしてあるが、この歯角βB を歯角βA と同じ大きさにしてもよい（βC ＞βB ≧βA ）。
【００７４】
具体的には、歯角βA を４０度〜５０度とし、特に４４度〜４９度が好ましい。歯角βB は４０度〜５５度で、特に４５度〜５０度が好ましい。また、歯角βC は４５度〜７５度で、特に４８度〜６７度が好ましい。
【００７５】
なお、前述のようにアサリ幅として２種類の幅を設定したが、１グループを５個以上の歯で構成して３種類以上の幅を設定しても良い。このとき、βB ≧βA の関係を満たしていればその他のアサリ歯Ｃ、Ｄ、Ｅ……（Ｄ，Ｅ……は図示省略）において、アサリ幅の大きな歯程歯角βを大きくするように設けても良い。すなわち、その他のアサリ歯Ｃ、Ｄ、Ｅ……の歯角をβC 、βD 、βE ……としたときに、（βC ≧βD ≧βE ……）＞βB ≧βA の関係にあるようにしてもよい。
【００７６】
また、各歯の配置の順番は任意に実施可能であるが、同一グループ中に同じアサリ幅の歯が左右一対になっていなければならない。
【００７７】
また、ここで説明した鋸刃１１では２種類の歯高の差異のある場合について説明したが、２種類以上の歯高であっても同様である。
【００７８】
次に、図１１（Ａ）、（Ｂ）、（Ｃ）には、前述の図７（Ａ）、（Ｂ）、（Ｃ）における歯高ＨC の低いアサリ歯Ｃの配置を変えた場合を示してあり、図１２（Ａ）、（Ｂ）、（Ｃ）〜図１４（Ａ）、（Ｂ）、（Ｃ）は、前述の図８（Ａ）、（Ｂ）、（Ｃ）〜図１０（Ａ）、（Ｂ）、（Ｃ）に相当する図が示してある。また、図１５（Ａ）、（Ｂ）、（Ｃ）には、さらに図７（Ａ）、（Ｂ）、（Ｃ）における歯高ＨC の低いアサリ歯Ｃの配置を変えた場合を示し、図１６（Ａ）、  （Ｂ）、（Ｃ）〜図１８（Ａ）、（Ｂ）、（Ｃ）は、前述の図８（Ａ）、（Ｂ）、（Ｃ）〜図１０（Ａ）、（Ｂ）、（Ｃ）に相当する図が示してある。
【００７９】
以上の結果から、直歯Ａは切断（切削）時に左右に振られることなく切込みを行うため、他のアサリ歯Ｂ、Ｃ……の案内的役割を果たすが、直歯Ａの逃げ角αA を大きくし、またはスクイ角θを大きくし、あるいは歯角βを小さく設けてあるので食込み性がよくなると共に直進性が向上する。このため、高精度の切削が可能になる。
【００８０】
また、アサリ幅が大きいアサリ歯Ｂ、Ｃ……は逃げ角αやスクイ角θを小さくし、あるいは歯角βを大きく設けてあるので歯先の強度が増し、切削時に左右に振られてもチッピングや歯欠けを生じにくい。このため、鋸刃の寿命を延ばすことができる。
【００８１】
また、図１９を参照するに、ここでは、前述の鋸刃１、３、５、７、９、１１の全ての鋸刃について、直歯Ａおよびアサリ歯Ｂ、Ｃ、……のスクイ面１３および逃げ面１５の直線部分において、直歯Ａまたはアサリ歯Ｂ、Ｃ、……の歯先１７から所定の高さ（図１９においてはａ）位置に基準線ＫＬを設定する。この基準線ＫＬが直歯Ａまたはアサリ歯Ｂ、Ｃ、……を横切る歯幅をＸA 、またはＸB 、ＸC 、……とすると、歯先強度は歯幅にほぼ比例すると考えられる。
【００８２】
また、各鋸刃におけるスクイ角θ、逃げ角α、歯角βは図１９に示されるようにθ＋α＋β＝９０度であることから、歯幅Ｘは  Ｘ＝ａ｛tan （β＋θ）−tan θ｝となることがわかる。
【００８３】
従って、直歯Ａ、アサリ幅の小さなアサリ歯Ｂ、その他のアサリ歯Ｃ、Ｄ、……について歯幅Ｘを、ＸA ≦ＸB ＜（ＸC ≦ＸD ≦ＸE ……）と設定することにより、アサリ幅が大きいアサリ歯Ｂ、Ｃ……は歯幅ＸB 、ＸC 、……を大きくしてあるので歯先の強度が増し、切削時に左右に振られてもチッピングや歯欠けを生じにくい。このため、鋸刃の寿命を延ばすことができる。
【００８４】
なお、最もアサリ幅の小さいアサリ歯のアサリ幅が他のアサリ歯のアサリ幅に近い場合は、歯幅Ｘを
ＸA ＜ＸB ≦（ＸC ≦ＸD ≦ＸE ……）
と設定する方が好ましい。
【００８５】
また、図２０を参照するに、スクイ面１９は直線だが、逃げ面２１の歯先２３に近い部分が曲率半径Ｒの円弧状となっている場合には、歯先逃げ角αを歯先２３における円弧部分の接線ＣＬと歯先ラインＢＬとのなす角度αと考えることにより、前述の実施の形態に示した場合と全く同様に考えられる。このとき、円弧部分の中心位置Ｚは、接線ＣＬと歯先２３において接線ＣＬに直交する直線ＡＬ上で歯先２３から曲率半径Ｒの位置にある。
【００８６】
歯角βについても同様に接線ＣＬとスクイ面１９のなす角度と考えることにより前述の実施の形態と全く同様になる。ここで、円弧部分の曲率半径Ｒが無限大になった場合が前述した場合に該当する。
【００８７】
従って、中心位置Ｚと歯先２３を結ぶ直線ＡＬと接線ＣＬは直交することから、歯角β、スクイ角θ、逃げ角αの関係は、β＋θ＋α＝９０°の関係が維持されていることがわかる。
【００８８】
なお、この発明は前述の実施の形態に限定されることなく、適宜な変更を行なうことにより、その他の態様で実施し得るものである。
【００８９】
【発明の効果】
以上説明したように、請求項１の発明による鋸刃では、直歯と複数個のアサリ歯を１グループとして鋸刃を構成し、左右の振れが少ない直歯の歯先逃げ角を大きくして食込み性を改善すると共に、左右の振れが大きくなるアサリ幅の大きなアサリ歯については歯先逃げ角を小さくすることによりチッピングや歯欠けを防止して鋸刃の寿命を延ばすことができる。
【００９０】
アサリ幅の大きいアサリ歯ほど歯先逃げ角を小さくしているので、歯角が大きくなり剛性が大きくなる。よって、切削加工時の鋸刃の厚み方向の分力に対する剛性が大きくなり、切削精度がより向上する。
【００９１】
請求項２の発明による鋸刃では、直歯と複数個のアサリ歯を１グループとして鋸刃を構成し、左右の振れが少ない直歯の歯先スクイ角を大きくして食込み性を改善すると共に、左右の振れが大きくなるアサリ幅の大きなアサリ歯については歯先スクイ角を小さくすることにより歯先強度を高めてチッピングや歯欠けを防止して鋸刃の寿命を延ばすことができる。
【００９２】
アサリ幅の大きいアサリ歯ほど歯先スクイ角を小さくしているので、歯角が大きくなり剛性がより大きくなる。よって、切削加工時の鋸刃の厚み方向の分力に対する剛性が大きくなり、切削精度がより向上する。
【００９３】
請求項３の発明による鋸刃では、直歯と複数個のアサリ歯を１グループとして鋸刃を構成し、左右の振れが少ない直歯の歯角を小さくして食込み性を改善すると共に、左右の振れが大きくなるアサリ幅の大きなアサリ歯については歯角を大きくすることにより歯先強度を高めてチッピングや歯欠けを防止して鋸刃の寿命を延ばすことができる。
【００９４】
アサリ幅の大きいアサリ歯ほど歯角を大きくしているので、剛性がより大きくなる。よって、切削加工時の鋸刃の厚み方向の分力に対する剛性が大きくなり、切削精度がより向上する。
【００９５】
請求項４の発明による鋸刃では、直歯と複数のアサリ歯を１グループとして鋸刃を構成し、左右の振れが少ない直歯の歯先逃げ角を大きくして食込み性を改善することができる。また、左右の振れが大きくなるアサリ幅の大きなアサリ歯については歯先逃げ角を小さくすることによりチッピングや歯欠けを防止して鋸刃の寿命を延ばすことができる。また、先行歯が切削した切削部をこの先行歯の歯高よりも低い歯高を有する後続歯がさらに拡開するので、直進性が向上して高精度の切削が可能になる。
【００９６】
請求項５の発明による鋸刃では、直歯と複数のアサリ歯を１グループとして鋸刃を構成し、左右の振れが少ない直歯の歯先スクイ角を大きくして食込み性を改善することができる。また、左右の振れが大きくなるアサリ幅の大きなアサリ歯については歯先スクイ角を小さくすることによりチッピングや歯欠けを防止して鋸刃の寿命を延ばすことができる。また、先行歯が切削した切削部をこの先行歯の歯高よりも低い歯高を有する後続歯がさらに拡開するので、直進性が向上して高精度の切削が可能になる。
【００９７】
請求項６の発明による鋸刃では、直歯と複数のアサリ歯を１グループとして鋸刃を構成し、左右の振れが少ない直歯の歯角を小さくして食込み性を改善することができる。また、左右の振れが大きくなるアサリ幅の大きなアサリ歯については歯角を大きくすることによりチッピングや歯欠けを防止して鋸刃の寿命を延ばすことができる。また、先行歯が切削した切削部をこの先行歯の歯高よりも低い歯高を有する後続歯がさらに拡開するので、直進性が向上して高精度の切削が可能になる。
【００９８】
請求項７の発明による鋸刃では、左右の振れが少ない直歯の歯先逃げ角を最もアサリ幅の小さなアサリ歯の歯先逃げ角よりも大きくして食込み性を改善することができる。また、アサリ幅が大きくなるにつれて左右の振れが大きくなるので、アサリ幅が大きくなるほど歯先逃げ角を小さくすることによりチッピングや歯欠けを防止することができる。
【００９９】
請求項８の発明による鋸刃では、左右の振れが少ない直歯の歯先スクイ角を最もアサリ幅の小さなアサリ歯のスクイ角より大きくして食込み性を改善することができる。また、アサリ幅が大きくなるにつれて左右の振れが大きくなるので、アサリ幅が大きくなるほど歯先スクイ角を小さくすることにより歯先強度を高めてチッピングや歯欠けを防止する。
【０１００】
請求項９の発明による鋸刃では、左右の振れが少ない直歯の歯角を最もアサリ幅の小さいアサリ歯の歯角よりも小さくして食込み性を改善することができる。また、アサリ幅が大きくなるにつれて左右の振れが大きくなるので、アサリ幅が大きくなるほど歯角を大きくすることにより歯先強度を高めてチッピングや歯欠けを防止することができる。
【０１０１】
請求項１０の発明による鋸刃では、左右の振れが少ない直歯の歯幅よりも左右の振れが大きくなるアサリ幅の大きなアサリ歯について歯幅を大きくすることにより歯先強度を高めているので、チッピングや歯欠けを防止することができる。
【０１０２】
請求項１１による発明の鋸刃では、最もアサリ幅の小さいアサリ歯のアサリ幅が他のアサリ歯のアサリ幅に近い場合に効果を奏するものである。従って、左右の振れが少ない直歯の歯幅を最も小さくして、食込み性を改善すると共に、左右の振れが大きくなるアサリ歯について歯幅を大きくすることにより、歯先強度を高めてチッピングや歯欠けを防止することができる。
【図面の簡単な説明】
【図１】（Ａ）（Ｂ）（Ｃ）は、本発明の第１実施の形態である鋸刃の歯先部を示す拡大図である。
【図２】歯先における逃げ角、歯角、スクイ角の関係を示す説明図である。
【図３】逃げ角、歯角、スクイ角と歯先強度、食込み性との関係を示す説明図である。
【図４】鋸刃の歯先における逃げ角、歯角及びスクイ角の関係を示す拡大図である。
【図５】鋸刃の歯先における逃げ角、歯角及びスクイ角の関係を示す拡大図である。
【図６】鋸刃の歯先における逃げ角、歯角及びスクイ角の関係を示す拡大図である。
【図７】（Ａ）（Ｂ）（Ｃ）は、本発明の第２実施の形態である鋸刃の歯先部を示す拡大図である。
【図８】鋸刃の歯先における逃げ角、歯角及びスクイ角の関係を示す拡大図である。
【図９】鋸刃の歯先における逃げ角、歯角及びスクイ角の関係を示す拡大図である。
【図１０】鋸刃の歯先における逃げ角、歯角及びスクイ角の関係を示す拡大図である。
【図１１】（Ａ）（Ｂ）（Ｃ）は、本発明の他の実施の形態である鋸刃の歯先部を示す拡大図である。
【図１２】鋸刃の歯先における逃げ角、歯角及びスクイ角の関係を示す拡大図である。
【図１３】鋸刃の歯先における逃げ角、歯角及びスクイ角の関係を示す拡大図である。
【図１４】鋸刃の歯先における逃げ角、歯角及びスクイ角の関係を示す拡大図である。
【図１５】（Ａ）（Ｂ）（Ｃ）は、本発明の他の実施の形態である鋸刃の歯先部を示す拡大図である。
【図１６】鋸刃の歯先における逃げ角、歯角及びスクイ角の関係を示す拡大図である。
【図１７】鋸刃の歯先における逃げ角、歯角及びスクイ角の関係を示す拡大図である。
【図１８】鋸刃の歯先における逃げ角、歯角及びスクイ角の関係を示す拡大図である。
【図１９】鋸刃の歯先における逃げ角、歯角及びスクイ角の関係を示す拡大図である。
【図２０】歯先の逃げ面が円弧状に形成されている場合における逃げ角、歯角、スクイ角の関係を示す説明図である。
【符号の説明】
１、３、５、７、９、１１  鋸刃
Ａ  直歯
Ｂ、Ｃ、Ｄ……  アサリ歯
Ｈ  歯高
α  歯先逃げ角
β  歯角
θ  歯先スクイ角
Ｗ  ワークピース
【図１】
0004132215.tif 000002
【図２】
0004132215.tif 000003
【図３】
0004132215.tif 000004
【図４】
0004132215.tif 000005
【図５】
0004132215.tif 000006
【図６】
0004132215.tif 000007
【図７】
0004132215.tif 000008
【図８】
0004132215.tif 000009
【図９】
0004132215.tif 000010
【図１０】
0004132215.tif 000011
【図１１】
0004132215.tif 000012
【図１２】
0004132215.tif 000013
【図１３】
0004132215.tif 000014
【図１４】
0004132215.tif 000015
【図１５】
0004132215.tif 000016
【図１６】
0004132215.tif 000017
【図１７】
0004132215.tif 000018
【図１８】
0004132215.tif 000019
【図１９】
0004132215.tif 000020
【図２０】
0004132215.tif 000021